(57)【要約】【課題】画像データに付加されている付加情報の更新や削除ができず、また、情報が付加されていない画像データに情報を付加できない従来の画像データ再生装置に対して、これを可能とする画像データ再生装置、方法及びプログラムを提供する。【解決手段】画像ファイルの特定の個所に付加情報を格納し、この特定のエリアの有無、または特定エリアのデータにより、付加情報の有無を判断する。また、この特定のエリアのデータを更新、削除することで、付加情報の更新や削除を実現する。また、情報が付加されていない画像データに対して、この特定エリアに付加情報を書き込むことで、情報の付加を実現する。【選択図】        図３
2004229244.tif 000002
【特許請求の範囲】
【請求項１】
少なくとも、記録媒体から読み込んだ画像データを再生する画像データ再生手段を有した画像再生装置において、前記記録媒体から読み込んだ画像データに付加されている付加情報を表示する付加情報表示手段を有していることを特徴とする画像再生装置。
【請求項２】
記録媒体から読み込んだ画像データに付加されている付加情報を更新または削除して、再度、記録媒体に記録する、画像データの付加情報更新手段を、更に有していることを特徴とする請求項１に記載の画像再生装置。
【請求項３】
記録媒体から読み込んだ画像データに付加されている付加情報を更新または削除して、別の画像データとして記録媒体に記録する画像データ複製手段を、更に有していることを特徴とする請求項２に記載の画像再生装置。
【請求項４】
記録媒体から読み込んだ画像データに付加情報が付加されていない場合、新たに付加情報を追加して、再度、記録媒体に記録する、画像データの付加情報更新手段を、更に有していることを特徴とする請求項１に記載の画像再生装置。
【請求項５】
記録媒体から読み込んだ画像データに付加情報が付加されていない場合、新たに付加情報を追加して、別の画像データとして記録媒体に記録する画像データ複製手段を、更に有していることを特徴とする請求項４に記載の画像再生装置。
【請求項６】
少なくとも、記録媒体から読み込んだ画像データを再生する画像データ再生工程により画像データを表示する画像データ再生方法において、前記記録媒体から読み込んだ画像データに付加されている付加情報を表示する付加情報表示工程を有していることを特徴とする画像再生方法。
【請求項７】
記録媒体から読み込んだ画像データに付加されている付加情報を更新または削除して、再度、記録媒体に記録する、画像データの付加情報更新工程を、更に有していることを特徴とする請求項６に記載の画像再生方法。
【請求項８】
記録媒体から読み込んだ画像データに付加されている付加情報を更新してまたは削除して、別の画像データとして記録媒体に記録する画像データ複製工程を、更に有していることを特徴とする請求項７に記載の画像再生方法。
【請求項９】
記録媒体から読み込んだ画像データに付加情報が付加されていない場合、新たに付加情報を追加して、再度、記録媒体に記録する、画像データの付加情報更新工程を、更に有していることを特徴とする請求項６に記載の画像再生方法。
【請求項１０】
記録媒体から読み込んだ画像データに付加情報が付加されていない場合、新たに付加情報を追加して、別の画像データとして記録媒体に記録する画像データ複製工程を、更に有していることを特徴とする請求項９に記載の画像再生方法。
【請求項１１】
記録媒体から読み込んだ画像データを表示する画像データ再生処理と、
前記記録媒体から読み込んだ画像データに付加されている付加情報を表示部に表示する付加情報表示処理とをコンピュータに実行させる為の画像再生プログラム。
【請求項１２】
記録媒体から読み込んだ画像データに付加されている付加情報を更新または削除して、再度、記録媒体に記録する、画像データの付加情報更新処理を、更に有していることを特徴とする請求項１１に記載の画像再生プログラム。
【請求項１３】
記録媒体から読み込んだ画像データに付加されている付加情報を更新してまたは削除して、別の画像データとして記録媒体に記録する画像データ複製処理を、更に有していることを特徴とする請求項１２に記載の画像再生プログラム。
【請求項１４】
記録媒体から読み込んだ画像データに付加情報が付加されていない場合、新たに付加情報を追加して、再度、記録媒体に記録する、画像データの付加情報更新処理を、更に有していることを特徴とする請求項１１に記載の画像再生プログラム。
【請求項１５】
記録媒体から読み込んだ画像データに付加情報が付加されていない場合、新たに付加情報を追加して、別の画像データとして記録媒体に記録する画像データ複製処理を、更に有していることを特徴とする請求項１４に記載の画像再生プログラム。
【請求項１６】
付加情報を表示しない通常画面表示モードであるか判定する処理と、
付加情報を有することを表示する付加情報有無モードであるか判定する処理と、
前記付加情報有無モードでない場合、付加情報があれば該付加情報を表示し、付加情報が無ければ無い旨表示する処理と、
画像を１枚で表示するか、一覧で表示するかを選択する処理と、
付加情報を有する画像データにアイコンを付す処理とをコンピュータに実行させる為の画像再生プログラム。
【請求項１７】
付加情報を更新するのか削除するのかを選択する処理と、付加情報の削除を行う場合、画像データの付加情報を保持する領域を示すマーカの削除を行う処理と、
付加情報の更新を行う場合、画像データの付加情報を保持する領域において付加情報の置き換えを行う処理と、
元の画像データに上書きするか、新規の画像データとして保存するか選択する処理とをコンピュータに実行させる為の画像再生プログラム。
【請求項１８】
画像データの付加情報を保持する領域において、必要なマーカが全て揃っているかどうかで付加情報の追加が可能であるかを判定する処理と、
更新する付加情報をリストから選択する処理と、
付加情報を保持する領域を示すマーカを追加し、付加方法を追加する処理と、
元の画像データに上書きするか、新規の画像データとして保存するか選択する処理とをコンピュータに実行させる為の画像再生プログラム。
【発明の詳細な説明】
【０００１】
【発明の属する技術分野】
この発明は、少なくとも画像データを再生する手段や工程を有した画像データ再生装置、方法及びプログラムに関する。
【０００２】
【従来の技術】
撮影した画像データに、付加情報として文字データを付加する技術に関しては、特許文献１が当出願人により提案されている。また、画像データ撮影日時を画像データと共に記録するものや、著作権を保護する為に電子透かし情報を画像データに付加するもの（特許文献２）も提案されている。
具体的にどのように画像データへ撮影情報データを付加するについて、特許文献３では、付加情報を保持し、カメラ本体に着脱可能である記憶媒体を有し、この記憶媒体から付加情報を取り出し、画像データに付加する方法を提示する。
【０００３】
【特許文献１】
特開２００２−１５８９５３号公報
【特許文献２】
特開平１０−３０８９４３号公報
【特許文献３】
特開２００１−６９４５４号公報
【０００４】
【発明が解決しようとする課題】
しかしながら、上記発明では、付加情報の更新や削除が出来ず、また、情報が付加されていない画像データに、情報を付加出来ないという問題が新たに発生した。
本発明はこれらの事に鑑みてなされたものであり、付加情報の更新や削除が出来、また、情報が付加されていない画像データに、情報を付加出来る、少なくとも画像データを再生する手段や工程を有した画像データ再生装置、方法及びプログラムを提供することを目的とする。
【０００５】
【課題を解決するための手段】
上述した課題を解決するために請求項１では、少なくとも、記録媒体から読み込んだ画像データを再生する画像データ再生手段を有した画像再生装置において、前記記録媒体から読み込んだ画像データに付加されている付加情報を表示する付加情報表示手段を有していることを特徴とする。
【０００６】
また請求項２では、請求項１の画像再生装置において、記録媒体から読み込んだ画像データに付加されている付加情報を更新または削除して、再度、記録媒体に記録する、画像データの付加情報更新手段を、更に有していることを特徴とする。
【０００７】
また請求項３では、請求項２の画像再生装置において、記録媒体から読み込んだ画像データに付加されている付加情報を更新または削除して、別の画像データとして記録媒体に記録する画像データ複製手段を、更に有していることを特徴とする。
【０００８】
また請求項４では、請求項１の画像再生装置において、記録媒体から読み込んだ画像データに付加情報が付加されていない場合、新たに付加情報を追加して、再度、記録媒体に記録する、画像データの付加情報更新手段を、更に有していることを特徴とする。
【０００９】
また請求項５では、請求項４の画像再生装置において、記録媒体から読み込んだ画像データに付加情報が付加されていない場合、新たに付加情報を追加して、別の画像データとして記録媒体に記録する画像データ複製手段を、更に有していることを特徴とする。
【００１０】
また請求項６では、少なくとも、記録媒体から読み込んだ画像データを再生する画像データ再生工程により画像データを表示する画像データ再生方法において、前記記録媒体から読み込んだ画像データに付加されている付加情報を表示する付加情報表示工程を有していることを特徴とする。
【００１１】
また請求項７では、請求項６の画像再生方法において、記録媒体から読み込んだ画像データに付加されている付加情報を更新または削除して、再度、記録媒体に記録する、画像データの付加情報更新工程を、更に有していることを特徴とする。
【００１２】
また請求項８では、請求項７の画像再生方法において、記録媒体から読み込んだ画像データに付加されている付加情報を更新してまたは削除して、別の画像データとして記録媒体に記録する画像データ複製工程を、更に有していることを特徴とする。
【００１３】
また請求項９では、請求項６の画像再生方法において、記録媒体から読み込んだ画像データに付加情報が付加されていない場合、新たに付加情報を追加して、再度、記録媒体に記録する、画像データの付加情報更新工程を、更に有していることを特徴とする。
【００１４】
また請求項１０では、請求項９の画像再生方法において、記録媒体から読み込んだ画像データに付加情報が付加されていない場合、新たに付加情報を追加して、別の画像データとして記録媒体に記録する画像データ複製工程を、更に有していることを特徴とする。
【００１５】
また請求項１１の発明である画像再生プログラムは、記録媒体から読み込んだ画像データを表示する画像データ再生処理と、上記記録媒体から読み込んだ画像データに付加されている付加情報を表示部に表示する付加情報表示処理とをコンピュータに実行させることを特徴とする。
【００１６】
また請求項１２に記載の発明は、請求項１１に記載の画像再生プログラムであって、記録媒体から読み込んだ画像データに付加されている付加情報を更新または削除して、再度、記録媒体に記録する、画像データの付加情報更新処理を、更に有していることを特徴とする。
【００１７】
また請求項１３に記載の発明は、請求項１２に記載の画像再生プログラムであって、記録媒体から読み込んだ画像データに付加されている付加情報を更新してまたは削除して、別の画像データとして記録媒体に記録する画像データ複製処理を、更に有していることを特徴とする。
【００１８】
また請求項１４に記載の発明は、請求項１１に記載の画像再生プログラムであって、記録媒体から読み込んだ画像データに付加情報が付加されていない場合、新たに付加情報を追加して、再度、記録媒体に記録する、画像データの付加情報更新処理を、更に有していることを特徴とする。
【００１９】
また請求項１５に記載の発明は、請求項１４に記載の画像再生プログラムであって、記録媒体から読み込んだ画像データに付加情報が付加されていない場合、新たに付加情報を追加して、別の画像データとして記録媒体に記録する画像データ複製処理を、更に有していることを特徴とする。
【００２０】
また請求項１６に記載の発明である画像再生プログラムは、付加情報を表示しない通常画面表示モードであるか判定する処理と、付加情報を有することを表示する付加情報有無モードであるか判定する処理と、上記付加情報有無モードでない場合、付加情報があれば該付加情報を表示し、付加情報が無ければ無い旨表示する処理と、画像を１枚で表示するか、一覧で表示するかを選択する処理と、付加情報を有する画像データにアイコンを付す処理とをコンピュータに実行させることを特徴とする。
【００２１】
また請求項１７に記載の発明である画像再生プログラムは、付加情報を更新するのか削除するのかを選択する処理と、付加情報の削除を行う場合、画像データの付加情報を保持する領域を示すマーカの削除を行う処理と、付加情報の更新を行う場合、画像データの付加情報を保持する領域において付加情報の置き換えを行う処理と、元の画像データに上書きするか、新規の画像データとして保存するか選択する処理とをコンピュータに実行させることを特徴とする。
【００２２】
また請求項１８に記載の発明である画像再生プログラムは、画像データの付加情報を保持する領域において、必要なマーカが全て揃っているかどうかで付加情報の追加が可能であるかを判定する処理と、更新する付加情報をリストから選択する処理と、付加情報を保持する領域を示すマーカを追加し、付加方法を追加する処理と、元の画像データに上書きするか、新規の画像データとして保存するか選択する処理とをコンピュータに実行させることを特徴とする。
【００２３】
【発明の実施の形態】
本発明は、少なくとも画像データを再生する手段や工程を有していればよいため、画像撮像手段を有していても構わないことは言うまでもない。従って、ここでは、画像撮像手段と画像再生手段を有したディジタルカメラを例として説明する。
以下、図を参照して本発明の実施の形態につき説明する。なお、各図の番号は、同じ部材や同じ処理に関しては、極力、同じ番号を付けている。
【００２４】
図１は、本発明の撮像装置の一例であるディジタルカメラの外観図である。
又、図２は、本発明の撮像装置の一例であるディジタルカメラのブロック図である。
まず、図１，図２を使用して、本発明の撮像装置の一例であるディジタルカメラの動作を説明する。
【００２５】
＜ディジタルカメラの構成及び動作＞
図１、２において、鏡胴ユニット（７）は、被写体の光学画像を取り込むズームレンズ（７−１ａ）、ズーム駆動モータ（７−１ｂ）からなるズーム光学系（７−１）、フォーカスレンズ（７−２ａ）、フォーカス駆動モータ（７−２ｂ）からなるフォーカス光学系（７−２）、絞り（７−３ａ）、絞りモータ（７−３ｂ）からなる絞りユニット（７−３）、メカシャッタ（７−４ａ）、メカシャッタモータ（７−４ｂ）からなるメカシャッタユニット（７−４）、各モータを駆動するモータドライバ（７−５）を有する。そして、モータドライバ（７−５）は、リモコン受光部（６）入力や操作部Ｋｅｙユニット（ＳＷ１〜ＳＷ１３）の操作入力に基づく、後述するディジタルスチルカメラプロセッサ（１０４）内にあるＣＰＵブロック（１０４−３）からの駆動指令により駆動制御される。
【００２６】
ＲＯＭ（１０８）には、ＣＰＵブロック（１０４−３）にて解読可能なコードで記述された、制御プログラムや制御するためのパラメータが格納されている。このディジタルカメラの電源がオン状態になると、前記プログラムは不図示のメインメモリにロードされ、前記ＣＰＵブロック（１０４−３）はそのプログラムに従って装置各部の動作を制御するとともに、制御に必要なデータ等を、一時的に、ＲＡＭ（１０７）、及び後述するディジタルスチルカメラプロセッサ（１０４）内にあるＬｏｃａｌ  ＳＲＡＭ（１０４−４）に保存する。ＲＯＭ（１０８）に書き換え可能なフラッシュＲＯＭを使用することで、制御プログラムや制御するためのパラメータを変更することが可能となり、機能のバージョンアップが容易に行える。
【００２７】
ＣＣＤ（１０１）は、光学画像を光電変換するための固体撮像素子であり、Ｆ／Ｅ（フロントエンド）−ＩＣ（１０２）は、画像ノイズ除去用相関二重サンプリングを行うＣＤＳ（１０２−１）、利得調整を行うＡＧＣ（１０２−２）、ディジタル信号変換を行うＡ／Ｄ（１０２−３）、ＣＣＤ１制御ブロック（１０４−１）より、垂直同期信号（以下、ＶＤと記す）、水平同期信号（以下、ＨＤと記す）を供給され、ＣＰＵブロック（１０４−３）によって制御されるＣＣＤ（１０１）、及びＦ／Ｅ−ＩＣ（１０２）の駆動タイミング信号を発生するＴＧ（１０２−４）を有する。
【００２８】
ディジタルスチルカメラプロセッサ（１０４）は、ＣＣＤ（１０１）よりＦ／Ｅ―ＩＣ（１０２）の出力データにホワイトバランス設定やガンマ設定を行い、又、前述したように、ＶＤ信号、ＨＤ信号を供給するＣＣＤ１制御ブロック（１０４−１）、フィルタリング処理により、輝度データ・色差データへの変換を行うＣＣＤ２制御ブロック（１０４−２）、前述した装置各部の動作を制御するＣＰＵブロック（１０４−３）、前述した制御に必要なデータ等を、一時的に、保存するＬｏｃａｌ  ＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧ  ＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮影された画像データを記録するメモリカードの制御を行うメモリカードブロック（１０４−１０）を有する。
【００２９】
ＳＤＲＡＭ（１０３）は、前述したディジタルスチルカメラプロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取りこんで、ＣＣＤ１信号処理ブロック（１０４−１）でホワイトバランス設定、ガンマ設定が行われた状態の「ＲＡＷ−ＲＧＢ画像データ」やＣＣＤ２制御ブロック（１０４−２）で輝度データ・色差データ変換が行われた状態の「ＹＵＶ画像データ」、ＪＰＥＧ  ＣＯＤＥＣブロック（１０４−７）で、ＪＰＥＧ圧縮された「ＪＰＥＧ画像データ」などである。
【００３０】
メモリカードスロットル（１２１）は、着脱可能なメモリカードを装着するためのスロットルである。
内蔵メモリ（１２０）は、前述したメモリカードスロットル（１２１）にメモリカードが装着されていない場合でも、撮影した画像データを記憶できるようにするためのメモリである。
【００３１】
ＬＣＤドライバ（１１７）は、後述するＬＣＤモニタ（１０）に駆動するドライブ回路であり、ＴＶ信号表示ブロック（１０４−９）から出力されたビデオ信号を、ＬＣＤモニタ（１０）に表示するための信号に変換する機能も有している。
ＬＣＤモニタ（１０）は、撮影前に被写体の状態を監視する、撮影した画像を確認する、メモリカードや前述した内蔵メモリ（１２０）に記録した画像データを表示する、などを行うためのモニタである。
【００３２】
ビデオＡＭＰ（１１８）は、ＴＶ信号表示ブロック（１０４−９）から出力されたビデオ信号を、７５Ωインピーダンス変換するためのアンプであり、ビデオジャック（１１９）は、ＴＶなどの外部表示機器と接続するためのジャックである。
【００３３】
ＵＳＢコネクタ（１２２）は、パソコンなどの外部機器とＵＳＢ接続を行う為のコネクタである。
シリアルドライバ回路（１２３−１）は、パソコンなどの外部機器とシリアル通信を行うために、前述したシリアルブロック（１０４−６）の出力信号を電圧変換するための回路であり、ＲＳ−２３２Ｃコネクタは、パソコンなどの外部機器とシリアル接続を行う為のコネクタである。
【００３４】
ＳＵＢ−ＣＰＵ（１０９）は、ＲＯＭ・ＲＡＭをワンチップに内蔵したＣＰＵであり、操作Ｋｅｙユニット（ＳＷ１〜１３）やリモコン受光部（６）の出力信号をユーザーの操作情報として、前述したＣＰＵブロック（１０４−３）に出力し、前述したＣＰＵブロック（１０４−３）より出力されるカメラの状態を、後述するサブＬＣＤ（１）、ＡＦ  ＬＥＤ（８）、ストロボＬＥＤ（９）、ブザー（１１３）の制御信号に変換して、出力する。
【００３５】
サブＬＣＤ（１）は、例えば、撮影可能枚数など表示するための表示部であり、ＬＣＤドライバ（１１１）は、前述したＳＵＢ−ＣＰＵ（１０９）の出力信号より、前述したサブＬＣＤ（１）を駆動するためのドライブ回路である。
ＡＦ  ＬＥＤ（８）は、撮影時の合焦状態を表示するためのＬＥＤであり、ストロボＬＥＤ（９）は、ストロボ充電状態を表すためのＬＥＤである。なお、このＡＦ  ＬＥＤ（８）とストロボＬＥＤ（９）を、メモリカードアクセス中などの別の表示用途に使用しても良い。
【００３６】
操作Ｋｅｙユニット（ＳＷ１〜１３）は、ユーザーが操作するＫｅｙ回路であり、リモコン受光部（６）は、ユーザーが操作したリモコン送信機の信号の受信部である。
音声記録ユニット（１１５）は、ユーザーが音声信号を入力するマイク（１１５−３）、入力された音声信号を増幅するマイクＡＭＰ（１１５−２）、増幅された音声信号を記録する音声記録回路（１１５―３）からなる。
【００３７】
音声再生ユニット（１１６）は、記録された音声信号をスピーカーから出力できる信号に変換する音声再生回路（１１６−１）、変換された音声信号を増幅し、スピーカーを駆動するためのオーディオＡＭＰ（１１６−２）、音声信号を出力するスピーカー（１１６−３）からなる。
【００３８】
＜付加情報の表示＞
次に、付加情報の表示方法について、図３に示すフローチャートを用いて、説明する。
まず、現在の表示モードを判断する（ステップ１０１）。表示モードの設定は、図８付加情報設定画面にて行う。具体的な設定方法については後述する。
次に、ステップ１０１で判断した表示モードが、通常画像表示であるかどうか判断する（ステップ１０２）。通常画像表示でない場合、ステップ１０４に進む。通常画像表示の場合、ステップ１０３へ進む。
【００３９】
次に、図１カメラ外観図、および図２カメラブロック図に示すＬＣＤモニタ（１０）に、通常画像データを表示して処理を終了する（ステップ１０３）。通常画像データの表示例を図１０通常表示画面に示す。
次に、ステップ１０１で判断した表示モードが、付加情報表示であるかどうか判断する（ステップ１０４）。付加情報表示の場合、ステップ１０６に進む。付加情報表示でない場合、ステップ１０５へ進む。
【００４０】
次に、図１カメラ外観図、および図２カメラブロック図に示すＬＣＤモニタ（１０）に、画像データに付加されている付加情報を表示して処理を終了する。
付加情報の一例を、図６画像データのファイル基本構造、図７付加情報の構造に示す。図６画像データのファイル基本構造、図７付加情報の構造に示した例において、付加情報は、図６画像データのファイル基本構造に示すアプリケーションエリア５に記憶されて、図７付加情報の構造に示すように、ツリー構造を持ったファイル形式で、情報そのものは、テキスト形式となっている。ここで、画像データに情報が付加されていない場合は、図６画像データのファイル基本構造に示すアプリケーションエリア５のマーカが存在しない。この場合は、付加情報無しメッセージを表示する（ステップ１０５）。付加情報有りの場合の表示例を図１１（ａ）付加情報有りに示す。また、付加情報無しの場合の表示例を図１１（ｂ）付加情報無しに示す。
【００４１】
次に、ステップ１０１で判断した表示モードが、付加情報有無表示を一枚画像で行うか、画像一覧表示で行うかを判断する（ステップ１０６）。一枚画像で行う場合、ステップ１０８に進む。画像一覧表示で行う場合、ステップ１０７へ進む。
【００４２】
次に、図１カメラ外観図、および図２カメラブロック図に示すＬＣＤモニタ（１０）に、画像一覧表示（サムネイル表示）に付加情報有りの画像データに対しては、付加情報有りのアイコンを追加表示し、付加情報無しの画像データに対してはアイコンを付けずに表示して、処理を終了する（ステップ１０７）。画像一覧表示（サムネイル表示）に付加情報有りのアイコンを追加した表示例を図１２（ａ）付加情報付き一覧表示画面に示す。
【００４３】
次に、図１カメラ外観図、および図２カメラブロック図に示すＬＣＤモニタ（１０）に表示している画像データが付加情報有りの場合、付加情報有りのアイコンを追加表示して処理を終了する。画像データが付加情報無しの場合は、付加情報有りのアイコンを付けずに通常表示を行い、処理を終了する（ステップ１０８）。通常表示画面に付加情報有りのアイコンを付けた表示例を図１２（ｂ）付加情報付き通常表示画面に示す。
【００４４】
＜付加情報の更新＞
次に、付加情報の更新方法について、図４に示すフローチャートを用いて、説明する。
まず、付加情報の更新を行うか判断する。付加情報を更新する場合、ステップ２０２へ進む。更新しない場合、処理を終了する（ステップ２０１）。付加情報を更新するかどうかの設定は、図８付加情報設定画面にて行う。具体的な設定方法については後述する。
【００４５】
次に、付加情報を更新するのか削除するのか、判断する。削除する場合は、ステップ２０３へ進む。更新する場合は、ステップ２０４へ進む（ステップ２０２）。
次に、付加情報の削除を行う。付加情報の削除は、図６画像データのファイル基本構造に示すアプリケーション５のマーカを削除することにより、実行する（ステップ２０３）。
【００４６】
次に、更新する付加情報を、付加情報リストから選択する。付加情報の選択は、図９付加情報選択画面にて行う。具体的な設定方法については後述する（ステップ２０４）。
次に、ステップ２０４で選択した付加情報を、画像データに記録する。図６画像データのファイル基本構造に示す、アプリケーションエリア５の付加情報を選択した付加情報に置き換えることで、付加情報の更新を実現する（ステップ２０５）。
【００４７】
次に、付加情報を更新、記録した画像データを、元の画像データに上書きするか、新規の画像データとして記録するか判断する（ステップ２０６）。上書きする場合、ステップ２０７へ進む、新規画像データとして、記録する場合は、ステップ２０８へ進む。上書きするか、新規の画像データとして記録するかの設定は、図８付加情報設定画面にて行う。具体的な設定方法については後述する。
【００４８】
次に、付加情報を更新、記録した画像データを、元のファイル名のままで、記録媒体に書き込むことにより、画像データ上書き保存を行い、処理を終了する（ステップ２０７）。
次に、付加情報を更新、記録した画像データを、ファイル名を変更して、記録媒体に書き込むことにより、画像データ新規保存を行い、処理を終了する（ステップ２０８）。
【００４９】
＜付加情報の追加＞
次に、付加情報の追加方法について、図５に示すフローチャートを用いて、説明する。
まず、付加情報の追加を行うか判断する。追加を行う場合、ステップ３０２へ進む。追加を行わない場合、処理を終了する（ステップ３０１）。付加情報を更新するかどうかの設定は、図８付加情報設定画面にて行う。具体的な設定方法については後述する。
【００５０】
次に、付加情報が画像データに付加することが可能かどうか判断する。付加することが可能な場合、ステップ３０３へ進む。付加することが不可能な場合は、処理を終了する。付加することが可能な画像データかどうかは、図６画像データのファイル基本構造に示すアプリケーションエリア１、２のマーカが全て揃っているかどうかで判断する。全て揃っている場合、付加することが可能であり、揃っていなければ、付加することが不可能な画像データである（ステップ３０２）。
【００５１】
次に、更新する付加情報を、付加情報リストから選択する（ステップ３０３）。付加情報の選択は、図９付加情報選択画面にて行う。具体的な設定方法については後述する。
次に、ステップ３０３で選択した付加情報を、画像データに記録する（ステップ３０４）。図６画像データのファイル基本構造に示す、アプリケーションエリア５のマーカを追加し、付加情報を選択した付加情報を書き込むことで、付加情報の追加を実現する。
【００５２】
次に、付加情報を更新、記録した画像データを、元の画像データに上書きするか、新規の画像データとして記録するか判断する（ステップ３０５）。上書きする場合、ステップ３０６へ進む。新規画像データとして、記録する場合は、ステップ３０７へ進む。上書きするか、新規の画像データとして記録するかの設定は、図８付加情報設定画面にて行う。具体的な設定方法については後述する。
【００５３】
次に、付加情報を更新、記録した画像データを、元のファイル名のままで、記録媒体に書き込むことにより、画像データ上書き保存を行い、処理を終了する（ステップ３０６）。
次に、付加情報を更新、記録した画像データを、ファイル名を変更して、記録媒体に書き込むことにより、画像データ新規保存を行い、処理を終了する（ステップ３０７）。
【００５４】
＜付加情報設定メニュー＞
次に、図８付加情報設定メニューの設定方法について、説明する。
まず、図１カメラ外観図に示すモードダイアル（ＳＷ２）が再生モードに設定されている状態で、ＭＥＮＵ  ＳＷ（ＳＷ６）を押下することにより、図８付加情報設定画面が表示される。
次に、図１カメラ外観図に示す上／ストロボＳＷ（ＳＷ７）と下／マクロＳＷ（ＳＷ１０）を使用して、設定する付加情報メニューを選択し、図１カメラ外観図の右ＳＷ（ＳＷ８）を押下すると、図８付加情報設定画面の右に示す各設定項目の選択肢が表示される。図１に示すカメラ外観図の上／ストロボＳＷ（ＳＷ７）と下／マクロＳＷ（ＳＷ１０）を使用して、選択肢の中から希望の設定を選択し、図１カメラ外観図のＯＫ  ＳＷ（ＳＷ１２）を押下することで、希望の設定を選択する。
【００５５】
ここで、情報付加の項目で、「更新する」を選択した後に、再度、図１カメラ外観図のＯＫ  ＳＷ（ＳＷ１２）を押下することで、図９付加情報選択画面が表示される。図９付加情報選択画面の設定方法については、後述する。
また、情報付加の項目で、「削除する」を選択すると、現在の画像データ（付加情報設定メニューに入る前の画像データ、一覧表示の場合は、カーソルがある画像データ）の付加情報が削除される。
【００５６】
次に、図９付加情報選択メニューの設定方法について、説明する。
まず、上記図８付加情報選択画面で説明したように、情報付加の項目で、「更新する」を選択した後に、再度、図１カメラ外観図のＯＫ  ＳＷ（ＳＷ１２）を押下することで、図９付加情報選択画面が表示される。
【００５７】
次に、図１カメラ外観図に示す上／ストロボＳＷ（ＳＷ７）と下／マクロＳＷ（ＳＷ１０）を使用して、付加する情報の分類を選択し、図１カメラ外観図の右ＳＷ（ＳＷ８）を押下すると、図９付加情報選択画面の右に示す各分類における付加情報リストが表示される。図１に示すカメラ外観図の上／ストロボＳＷ（ＳＷ７）と下／マクロＳＷ（ＳＷ１０）を使用して、付加情報リストを選択し、図１カメラ外観図のＯＫ  ＳＷ（ＳＷ１２）を押下することで、選択したリストに記載されている付加情報が現在の画像データ（付加情報設定メニューに入る前の画像データ、一覧表示の場合は、カーソルがある画像データ）に付加される。
なお、図８付加情報設定画面、および図９付加情報選択画面において、設定途中で元の表示に戻る操作は、図１カメラ外観図のＭＥＮＵ  ＳＷ（ＳＷ６）を押下することで、実行される。
【００５８】
また、本実施例では、画像データに付加された付加情報について説明したが、本発明は画像データに限定されるものではなく、文字データ、音声データでも構わない。
【００５９】
【発明の効果】
以上、説明したように、本発明によれば、画像データに付加されている付加情報の更新や削除が出来、また、情報が付加されていない画像データに、情報を付加することが可能となる。
【図面の簡単な説明】
【図１】撮像装置の一例であるディジタルカメラの外観図である。
【図２】ディジタルカメラのブロック図である。
【図３】付加情報の表示方法を示すフローチャートである。
【図４】付加情報の更新方法を示すフローチャートである。
【図５】付加情報の追加方法を示すフローチャートである。
【図６】画像データのファイル基本構造を示す図である。
【図７】付加情報の構造を示す図である。
【図８】付加情報設定画面を示す図である。
【図９】付加情報選択画面を示す図である。
【図１０】通常画像データ表示例を示す図である。
【図１１】付加情報表示例を示す図である。（ａ）は付加情報有りの場合の画面を、（ｂ）は付加情報無しの場合の画面を示す図である。
【図１２】付加情報有無画面を示す図である。（ａ）は画像一覧表示に付加情報有りのアイコンを追加した表示例を示す図である。（ｂ）は通常表示画面に付加情報有りのアイコンを付けた表示例を示す図である。
【符号の説明】
１  サブＬＣＤ
３  ストロボ発光部
５  測距ユニット
６  リモコン受光部
７  鏡胴ユニット
８  ＡＦ  ＬＥＤ
９  ストロボＬＥＤ
１０  ＬＣＤモニタ
１０１  ＣＣＤ
１０２  Ｆ／Ｅ−ＩＣ
１０３  ＳＤＲＡＭ
１０４  ディジタルスチルカメラプロセッサ
１０７  ＲＡＭ
１０８  ＲＯＭ
１２０  内蔵メモリ
【図１】
2004229244.tif 000003
【図２】
2004229244.tif 000004
【図３】
2004229244.tif 000005
【図４】
2004229244.tif 000006
【図５】
2004229244.tif 000007
【図６】
2004229244.tif 000008
【図７】
2004229244.tif 000009
【図８】
2004229244.tif 000010
【図９】
2004229244.tif 000011
【図１０】
2004229244.tif 000012
【図１１】
2004229244.tif 000013
【図１２】
2004229244.tif 000014